(57)【特許請求の範囲】
【請求項１】
移動管理エンティティがトリガーされた後、ユーザ装置が現在アクセスするセルのトラッキングエリアコード（ＴＡＣ）及び前記ユーザ装置が現在アクセスするセルのＴＡＣと隣接するＴＡＣでＴＡＣ集合を構成し、
前記ＴＡＣ集合のうちの少なくとも１つのＴＡＣをサポートする各発展型ノードＢをキャッチし、前記発展型ノードＢがサポートする前記ＴＡＣ集合中におけるＴＡＣ下でのプライマリー公衆陸上移動網（ＰＬＭＮ）を選択し、且つ各ＴＡＣ及び各ＴＡＣと対応するプライマリーＰＬＭＮで第二集合を構成し、そのうち、前記第二集合中には同じ要素が存在せず、且つ前記ユーザ装置の現在のサービスセルのサービスＰＬＭＮを含まず、及び
前記第二集合中における互いに異なるＰＬＭＮを等価公衆陸上移動網（ＥＰＬＭＮ）リストに追加し、且つ前記ＥＰＬＭＮリストを前記ユーザ装置の発展型ノードＢに送信することを含むＥＰＬＭＮリスト設定方法。
【請求項２】
前記移動管理エンティティがトリガーされるステップは、前記ユーザ装置がアクセスを開始し、又は、前記ユーザ装置がトラッキングエリア更新を行い、又は、前記ユーザ装置のソースセルが前記ユーザ装置のためにハンドオーバ要求Ｓ１を開始することを含む請求項１に記載の方法。
【請求項３】
前記移動管理エンティティはＳ１メッセージから前記ユーザ装置が現在アクセスするセルのＴＡＣをキャッチすることをさらに含む請求項１または２に記載の方法。
【請求項４】
前記移動管理エンティティは、Ｓ１接続作成が成功した後、各発展型ノードＢがサポートするトラッキングエリアを保存し、且つＳ１接続情報に基づいて各トラッキングエリアの間の隣接関係をメインテナンスすることを更に含む請求項１または２に記載の方法。
【請求項５】
ユーザ装置の発展型ノードＢは移動管理エンティティが請求項１〜４のいずれか一つに記載の方法を使用して送信した等価公衆陸上移動網（ＥＰＬＭＮ）リストを受信した後、前記ユーザ装置の候補のハンドオーバ先セルがサポートする公衆陸上移動網（ＰＬＭＮ）リストと前記ＥＰＬＭＮリストとの共通集合で得られたＰＬＭＮを前記ハンドオーバ先ＰＬＭＮとすることを含むハンドオーバ先ＰＬＭＮの選択方法。
【請求項６】
リスト生成ユニット及びリスト送信ユニットを備える移動管理エンティティであって、
前記リスト生成ユニットは、トリガーされた後、ユーザ装置が現在アクセスするセルのトラッキングエリアコード（ＴＡＣ）及び前記ユーザ装置が現在アクセスするセルのＴＡＣと隣接するＴＡＣでＴＡＣ集合を構成し、前記ＴＡＣ集合のうちの少なくとも１つのＴＡＣをサポートする各発展型ノードＢをキャッチし、前記発展型ノードＢがサポートする前記ＴＡＣ集合中におけるＴＡＣ下でのプライマリー公衆陸上移動網（ＰＬＭＮ）を選択し、且つ各ＴＡＣ及び各ＴＡＣと対応するプライマリーＰＬＭＮで第二集合を構成し、そのうち、前記第二集合中には同じ要素が存在せず、且つ前記ユーザ装置の現在のサービスセルのサービスＰＬＭＮを含まず、及び前記第二集合中における互いに異なるＰＬＭＮを等価公衆陸上移動網（ＥＰＬＭＮ）リストに追加するように設置され、
前記リスト送信ユニットは前記ＥＰＬＭＮリストを前記ユーザ装置の発展型ノードＢに送信するように設置される移動管理エンティティ。
【請求項７】
前記リスト生成ユニットは、前記ユーザ装置がアクセスを開始し、又は、前記ユーザ装置がトラッキングエリア更新を行い、又は、前記ユーザ装置のソースセルが前記ユーザ装置のためにＳ１ハンドオーバ要求を開始するという方式でトリガーされる請求項６に記載の移動管理エンティティ。
【請求項８】
前記リスト生成ユニットは、Ｓ１メッセージから前記ユーザ装置が現在アクセスするセルのＴＡＣをキャッチするように更に設置される請求項６又は７に記載の移動管理エンティティ。
【請求項９】
前記移動管理エンティティは、
Ｓ１接続作成が成功した後、各発展型ノードＢがサポートするトラッキングエリアを保存し、且つＳ１接続情報に基づいて各トラッキングエリアの間の隣接関係をメインテナンスするように設置される情報メインテナンスユニットをさらに備える請求項６又は７に記載の移動管理エンティティ。
【請求項１０】
リスト受信ユニット及びハンドオーバ先選択ユニットを備える発展型ノードＢであって、
前記リスト受信ユニットは、移動管理エンティティが請求項１〜４のいずれか一つに記載の方法を使用して送信した等価公衆陸上移動網（ＥＰＬＭＮ）リストを受信するように設置され、
前記ハンドオーバ先選択ユニットは、前記ユーザ装置の候補のハンドオーバ先セルがサポートする公衆陸上移動網（ＰＬＭＮ）リストと前記ＥＰＬＭＮリストとの共通集合で得られたＰＬＭＮをハンドオーバ先ＰＬＭＮとするように設置される発展型ノードＢ。
【発明の詳細な説明】
【技術分野】
【０００１】
本発明はモバイル通信システムに関し、特にＥＰＬＭＮ（Ｅｑｕｉｖａｌｅｎｔ  Ｐｕｂｌｉｃ  Ｌａｎｄ  Ｍｏｂｉｌｅ  Ｎｅｔｗｏｒｋ、等価公衆陸上移動網）リスト設定方法及びＭＭＥ（Ｍｏｂｉｌｉｔｙ  Ｍａｎａｇｅｍｅｎｔ  Ｅｎｔｉｔｙ、移動管理エンティティ）、並びにハンドオーバ先ＰＬＭＮ（Ｐｕｂｌｉｃ  Ｌａｎｄ  Ｍｏｂｉｌｅ  Ｎｅｔｗｏｒｋ、公衆陸上移動網）の選択方法及びｅＮｏｄｅＢ（Ｅｖｏｌｖｅｄ  Ｎｏｄｅ  Ｂ、発展型ノードＢ）に関する。
【背景技術】
【０００２】
ネットワーク共有環境で、ｅＮｏｄｅＢ（発展型ノードＢ、ｅＮＢ）及びＭＭＥ（Ｍｏｂｉｌｉｔｙ  Ｍａｎａｇｅｍｅｎｔ  Ｅｎｔｉｔｙ、移動管理エンティティ）は複数のＰＬＭＮ（Ｐｕｂｌｉｃ  Ｌａｎｄ  Ｍｏｂｉｌｅ  Ｎｅｔｗｏｒｋ、公衆陸上移動網）をサポートする可能性がある。ＵＥ（Ｕｓｅｒ  Ｅｑｕｉｐｍｅｎｔ、ユーザ装置）はハンドオーバが発生した時、ＵＥはソースセルでネットワークにアクセスする時登録するサービスＰＬＭＮは、ハンドオーバ先側セルでサポートされないと、ソースｅＮｏｄｅＢはＵＥに他のＰＬＭＮを選択してハンドオーバのターゲットＰＬＭＮとする必要があり、該ターゲットＰＬＭＮはＵＥがターゲット側にハンドオーバした後のサービスＰＬＭＮになる。
【０００３】
ソースｅＮｏｄｅＢはＭＭＥが送信したＨａｎｄｏｖｅｒ  Ｒｅｓｔｒｉｃｔｉｏｎ  Ｌｉｓｔ（ハンドオーバ制限リスト）中に含まれるＥＰＬＭＮリスト情報に基づいてＵＥにハンドオーバのターゲットＰＬＭＮを選択することができる。従来に開示されているデータ中にはＥＰＬＭＮリストをどのように設定するか及びどのようにＥＰＬＭＮリストからＵＥにハンドオーバ先ＰＬＭＮの方法を選択するかを言及していない。
【発明の概要】
【発明が解決しようとする課題】
【０００４】
本発明の目的はＥＰＬＭＮリスト設定方法及びＭＭＥ、並びにハンドオーバ先ＰＬＭＮ選択方法及びｅＮＢを提供し、ＥＰＬＭＮリストの設定及びハンドオーバ先ＰＬＭＮの選択を実現する。
【課題を解決するための手段】
【０００５】
上記目的に達するために、本発明の実施例はＥＰＬＭＮリスト設定方法を提供しており、
移動管理エンティティがトリガーされた後、ユーザ装置が現在アクセスするセルのトラッキングエリアコード（ＴＡＣ）及び前記ユーザ装置が現在アクセスするセルのＴＡＣと隣接するＴＡＣでＴＡＣ集合を構成し、
前記ＴＡＣ集合のうちの少なくとも１つのＴＡＣをサポートする各発展型ノードＢをキャッチし、前記発展型ノードＢがサポートする前記ＴＡＣ集合中におけるＴＡＣ下でのプライマリー公衆陸上移動網（ＰＬＭＮ）を選択し、且つ各ＴＡＣ及び各ＴＡＣと対応するプライマリーＰＬＭＮで第二集合を構成し、そのうち、前記第二集合中には同じ要素が存在せず、且つ前記ユーザ装置の現在サービスセルのサービスＰＬＭＮを含まないこと、及び
前記第二集合中における互いに異なるＰＬＭＮを等価公衆陸上移動網（ＥＰＬＭＮ）リストに追加し、且つ前記ＥＰＬＭＮリストを前記ユーザ装置の発展型ノードＢに送信することを含む。
【０００６】
上記方法は、前記移動管理エンティティがトリガーされるステップは、前記ユーザ装置はアクセスを開始し、又は、前記ユーザ装置はトラッキングエリア更新を行い、又は、前記ユーザ装置のソースセルは前記ユーザ装置にハンドオーバ要求Ｓ１を開始することを含むことを更に特徴とする。
【０００７】
上記方法は、前記移動管理エンティティはＳ１メッセージから前記ユーザ装置が現在アクセスするセルのＴＡＣをキャッチすることをさらに含むことを更に特徴とする。
【０００８】
上記方法は、前記移動管理エンティティは、Ｓ１接続作成が成功した後、各発展型ノードＢがサポートするトラッキングエリアを保存し、且つＳ１接続情報に基づいて各トラッキングエリアの間の隣接関係をメインテナンスすることをさらに含むことを更に特徴とする。
【０００９】
本発明の実施例はハンドオーバ先ＰＬＭＮの選択方法を更に提供しており、
ユーザ装置の発展型ノードＢは移動管理エンティティが下記のいずれか１つの方法を用いて送信した等価公衆陸上移動網（ＥＰＬＭＮ）リストを受信した後、前記ユーザ装置の候補ハンドオーバ先セルがサポートする公衆陸上移動網（ＰＬＭＮ）リストと前記ＥＰＬＭＮリストとの共通集合で得られたＰＬＭＮを前記ハンドオーバ先ＰＬＭＮとする。
【００１０】
本発明の実施例はリスト生成ユニット及びリスト送信ユニットを備える移動管理エンティティを更に提供しており、そのうち、
前記リスト生成ユニットは、トリガーされた後、ユーザ装置が現在アクセスするセルのトラッキングエリアコード（ＴＡＣ）及び前記ユーザ装置が現在アクセスするセルのＴＡＣと隣接するＴＡＣでＴＡＣ集合を構成し、前記ＴＡＣ集合のうちの少なくとも１つのＴＡＣをサポートする各発展型ノードＢをキャッチし、前記発展型ノードＢがサポートする前記ＴＡＣ集合中におけるＴＡＣ下でのプライマリー公衆陸上移動網（ＰＬＭＮ）を選択し、各ＴＡＣ及び各ＴＡＣと対応するプライマリーＰＬＭＮで第二集合を構成し、そのうち、前記第二集合中には同じ要素が存在せず、且つ前記ユーザ装置の現在サービスセルのサービスＰＬＭＮを含まず、及び前記第二集合中における互いに異なるＰＬＭＮを等価公衆陸上移動網（ＥＰＬＭＮ）リストに追加するように設置され、
前記リスト送信ユニットは前記ＥＰＬＭＮリストを前記ユーザ装置の発展型ノードＢに送信するように設置される。
【００１１】
上記移動管理エンティティは、前記リスト生成ユニットは、前記ユーザ装置はアクセスを開始し、又は、前記ユーザ装置はトラッキングエリア更新を行い、又は、前記ユーザ装置のソースセルは前記ユーザ装置にＳ１ハンドオーバ要求を開始するという方式でトリガーされることを更に特徴とする。
【００１２】
上記移動管理エンティティは、前記リスト生成ユニットは、Ｓ１メッセージから前記ユーザ装置が現在アクセスするセルのＴＡＣをキャッチするように更に設置されることを更に特徴とする。
【００１３】
上記移動管理エンティティは、Ｓ１接続作成が成功した後、各発展型ノードＢがサポートするトラッキングエリアを保存し、且つＳ１接続情報に基づいて各トラッキングエリアの間の隣接関係をメインテナンスするように設置される情報メインテナンスユニットをさらに備えることを更に特徴とする。
【００１４】
本発明の実施例はリスト受信ユニット及びハンドオーバ先選択ユニットを備える発展型ノードＢを更に提供しており、そのうち、
前記リスト受信ユニットは、移動管理エンティティが下記のいずれか１つの方法を用いて送信した等価公衆陸上移動網（ＥＰＬＭＮ）リストを受信するように設置され、
前記ハンドオーバ先選択ユニットは、前記ユーザ装置の候補ハンドオーバ先セルがサポートする公衆陸上移動網（ＰＬＭＮ）リストと前記ＥＰＬＭＮリストとの共通集合で得られたＰＬＭＮをハンドオーバ先ＰＬＭＮとするように設置される。
【発明の効果】
【００１５】
本発明の技術的解決手段によれば、ＭＭＥは好適的なＥＰＬＭＮリストを設定してソースｅＮｏｄｅＢを補助してＵＥに好適なハンドオーバ先ＰＬＭＮを選択することができることを保証することができる。
【図面の簡単な説明】
【００１６】
【図１】図１はＵＥはＰＬＭＮ変更が発生したハンドオーバシーン模式図である。
【図２】図２はＥＰＬＭＮリストの設定方法及びハンドオーバ先ＰＬＭＮの選択方法のフローチャートである。
【図３】図３はＥＰＬＭＮリストのＰＬＭＮ選択方法のフローチャートである。
【図４】図４は応用シーン１のＥＰＬＭＮ設定模式図である。
【図５】図５は実施例１のＥＰＬＭＮリスト設定のフローチャートである。
【図６】図６は応用シーン２のＥＰＬＭＮ設定模式図である。
【図７】図７は実施例２のＥＰＬＭＮリスト設定のフローチャートである。
【図８】図８は本発明の実施例のＭＭＥブロック図である。
【図９】図９は本発明の実施例のｅＮＢブロック図である。
【発明を実施するための形態】
【００１７】
本発明の目的、技術的解決手段及び利点をより明確にするために、以下、図面を参照しながら本発明の実施例を詳細に説明する。ただし、衝突がない場合、本技術的解決手段における実施例及び実施例における特徴は互いに任意に組み合せることができる。
【００１８】
３ＧＰＰプロトコル要求ＥＰＬＭＮの設定は１つの原則を満たす必要があり、つまり、いずれか１つのＵＥハンドオーバの隣接セルに対して、ＥＰＬＭＮリスト情報から該セルと対応するＰＬＭＮを１つのみ選択することができる。本発明の実施例に記述する方法はプロトコル要求を満たすことができ、且つ効果的で且つ正確にソースｅＮｏｄｅＢを補助してＵＥに好適なハンドオーバ先ＰＬＭＮを選択する。該方法の検討はプロトコルに規定された下記の２つの前提下で行われる。
１）ｅＮＢ下でのすべてのセルはいずれもＰｒｉｍａｒｙ  ＰＬＭＮ（プライマリーＰＬＭＮ）をサポートし、且つプライマリーＰＬＭＮをセル放送のＰＬＭＮ  ｌｉｓｔ（ＰＬＭＮリスト）における第１個の位置に置いて送信する。
２）１つのＴＡ（Ｔｒａｃｋｉｎｇ  Ａｒｅａ、トラッキングエリア）下で、すべてのセルの放送ＰＬＭＮは同じである。
【００１９】
ＵＥがハンドオーバしようとする時、ＵＥがソースセルでアクセスするＰＬＭＮはターゲットセルでサポートされないと、ＵＥはＰＬＭＮ変更のハンドオーバが発生する。この時、ソースセルはＭＭＥが送信したＥＰＬＭＮリスト情報に基づいてＵＥにハンドオーバのターゲットＰＬＭＮを選択する必要はある。図１に示すとおりである。
【００２０】
本発明の実施例はＥＰＬＭＮリスト設定方法を提供しており、
移動管理エンティティがトリガーされた後、ユーザ装置が現在アクセスするセルのトラッキングエリアコードＴＡＣ及びそれに隣接するＴＡＣでＴＡＣ集合を構成し、
前記ＴＡＣ集合のうちの少なくとも１つのＴＡＣをサポートする各発展型ノードＢをキャッチし、該発展型ノードＢがサポートする該ＴＡＣ集合中におけるＴＡＣ下でのプライマリー公衆陸上移動網ＰＬＭＮを選択し、各ＴＡＣ及びその対応するプライマリーＰＬＭＮで第二集合を構成し、そのうち、前記第二集合中には同じ要素が存在せず、且つ前記ユーザ装置の現在サービスセルのサービスＰＬＭＮを含まず、及び
前記第二集合中における互いに異なるＰＬＭＮを等価公衆陸上移動網ＥＰＬＭＮリストに追加し、且つ該ＥＰＬＭＮリストを前記ユーザ装置の発展型ノードＢに送信することを含む。
【００２１】
そのうち、前記移動管理エンティティがトリガーされるステップは、前記ユーザ装置はアクセスを開始し、又は、前記ユーザ装置はトラッキングエリア更新を行い、又は、前記ユーザ装置のソースセルは前記ユーザ装置にハンドオーバ要求Ｓ１を開始することを含む。
【００２２】
そのうち、前記方法前記移動管理エンティティはＳ１メッセージから前記ユーザ装置が現在アクセスするセルのＴＡＣをキャッチすることをさらに含む。
【００２３】
そのうち、前記方法は、前記移動管理エンティティは、Ｓ１接続作成が成功した後、各発展型ノードＢがサポートするトラッキングエリアを保存し、且つＳ１接続情報に基づいて各トラッキングエリアの間の隣接関係をメインテナンスすることをさらに含む。
【００２４】
本発明施すはハンドオーバ先ＰＬＭＮの選択方法を更に提供しており、
ユーザ装置の発展型ノードＢは移動管理エンティティが送信したＥＰＬＭＮリストを受信した後、前記ユーザ装置の候補ハンドオーバ先セルがサポートするＰＬＭＮリストと前記ＥＰＬＭＮリストとの共通集合で得られたＰＬＭＮをハンドオーバ先ＰＬＭＮとすることを含む。
【００２５】
図２に示すように、本発明の実施例が提供するＥＰＬＭＮリストの設定方法及びハンドオーバ先ＰＬＭＮの選択方法は下記ステップを含む。
【００２６】
ステップ２０１：Ｓ１接続作成が成功した後、ＭＭＥは各ｅＮＢのサポートＴＡ（Ｓｕｐｐｏｒｔ  ＴＡｓ）を保存し、そのうち、ＴＡＣ（Ｔｒａｃｋｉｎｇ  Ａｒｅａ  Ｃｏｄｅ、トラッキングエリアコード）及び該ＴＡＣ下でのセルが送信した放送ＰＬＭＮ  Ｌｉｓｔを含む。
【００２７】
ステップ２０２：ＭＭＥはＳ１接続情報に基づいてＴＡの間の隣接関係をメインテナンスする。
【００２８】
ステップ２０３：ＭＭＥはトリガーされた後、Ｓ１メッセージからＵＥが現在アクセスするセルのＴＡＣを抽出する。次にＴＡＣに基づいてそれと隣接するＴＡＣを見つけ、１つのＴＡＣ集合を構成する。
【００２９】
そのうち、ＭＭＥがトリガーされるステップは、ＵＥはアクセスを開始すること、ＵＥはＴＡＵ（Ｔｒａｃｋｉｎｇ  Ａｒｅａ  Ｕｐｄａｔｅ、トラッキングエリア更新する）を行うこと又はソースセルはＵＥにＳ１ハンドオーバ要求を開始することのうちの１つまたはその組合せを含む。
【００３０】
ステップ２０４：該集合のうちの少なくとも１つのＴＡＣをサポートするｅＮＢを調べ、次に以下記述するＥＰＬＭＮリストの選択方法に基づいてＰＬＭＮを選択してＥＰＬＭＮリストに入れる。
【００３１】
ステップ２０５：ソースセルは隣接エリア設定情報中において、隣接エリアがサポートするＰＬＭＮリスト及びＥＰＬＭＮリストを共通集合演算すると、唯一のＰＬＭＮを得ることができ、該ＰＬＭＮをハンドオーバ先ＰＬＭＮとする。
【００３２】
ＥＰＬＭＮリストのＰＬＭＮ選択方法フローは図３に示すように、下記ステップを含む。
【００３３】
ステップ３０１：調べたｅＮＢ中において、各ｅＮＢ下でステップ２０３に記載のＴＡＣ集合に含まれる各ＴＡＣがサポートするＢｒｏａｄｃａｓｔ（放送）ＰＬＭＮｓ中においてｅＮＢのＰｒｉｍａｒｙ  ＰＬＭＮ（すなわち放送ＰＬＭＮの第１個）のみを選択する。
【００３４】
ステップ３０２：ステップ３０１に得られたＰＬＭＮ集合中において、ＴＡＣ及びＰＬＭＮに同じ要素を合併し、各ＴＡＣが異なるＰＬＭＮに対応することを保証する。
【００３５】
ステップ３０３：ＵＥのソースセルでのＳｅｒｖｉｎｇ（サービス）ＰＬＭＮに関連する要素を集合中から除去する。
【００３６】
ステップ３０４：集合中における各要素のＰＬＭＮを抽出して、同じＰＬＭＮを合併すると、ＥＰＬＭＮリストを得ることができる。
実施例１
【００３７】
以下、図面４及び５を参照しながら、ＥＰＬＭＮリストの選択及び設定を説明する。
【００３８】
実施例１の応用シーンは図４に示すように、各ｅＮｏｄｅＢ下でのセルはいずれも１つのＴＡ中にある。
−ＭＭＥがサポートするＳｅｒｖｉｎｇ  ＰＬＭＮ：ＰＬＭＮ１、ＰＬＭＮ２、ＰＬＭＮ３、ＰＬＭＮ４、及びＰＬＭＮ５
−ｅＮＢ１はＰＬＭＮ：ＰＬＭＮ１、ＰＬＭＮ２、及びＰｒｉｍａｒｙ  ＰＬＭＮ：ＰＬＭＮ１をサポートする
−ｅＮＢ２はＰＬＭＮ：ＰＬＭＮ２、ＰＬＭＮ３、及びＰｒｉｍａｒｙ  ＰＬＭＮ：ＰＬＭＮ２をサポートする
−ｅＮＢ３はＰＬＭＮ：ＰＬＭＮ４、ＰＬＭＮ５、及びＰｒｉｍａｒｙ  ＰＬＭＮ：ＰＬＭＮ４をサポートする
−Ｃｅｌｌ  Ａは放送ＰＬＭＮ  Ｌｉｓｔ：ＰＬＭＮ１、ＰＬＭＮ２を送信する
−Ｃｅｌｌ  Ｂは放送ＰＬＭＮ  Ｌｉｓｔ：ＰＬＭＮ１、ＰＬＭＮ２を送信する
−Ｃｅｌｌ  Ｃは放送ＰＬＭＮ  Ｌｉｓｔ：ＰＬＭＮ２、ＰＬＭＮ３を送信する
−Ｃｅｌｌ  Ｄは放送ＰＬＭＮ  Ｌｉｓｔ：ＰＬＭＮ２、ＰＬＭＮ３を送信する
−Ｃｅｌｌ  Ｅは放送ＰＬＭＮ  Ｌｉｓｔ：ＰＬＭＮ４、ＰＬＭＮ５を送信する
−Ｃｅｌｌ  Ｆは放送ＰＬＭＮ  Ｌｉｓｔ：ＰＬＭＮ４、ＰＬＭＮ５を送信する
−セルＡ及びＢはＴＡＣ１に属し、セルＣ及びＤはＴＡＣ２に属し、セルＥ及びＦはＴＡＣ３に属する。
−セルＢ、Ｃ、Ｄ、Ｅ、ＦはいずれもセルＡの隣接セルである。
−ＵＥはセルＡにおいてＰＬＭＮ１でアクセスする。
【００３９】
図５に示すように、ＥＰＬＭＮリストの選択及び設定は下記ステップを含む。
【００４０】
ステップ５０１：Ｓ１接続作成が成功した後、ＭＭＥは各ｅＮＢのＳｕｐｐｏｒｔ  ＴＡｓを保存する必要があり、そのうち、ＴＡＣ及び該ＴＡＣ下でセルが送信した放送ＰＬＭＮ  Ｌｉｓｔを含む。
【００４１】
ステップ５０２：ＭＭＥはＳ１接続情報に基づいてＴＡの間の隣接関係をメインテナンスする。
【００４２】
ステップ５０３：ＵＥはアクセスを開始し、またはＴＡＵを行い、又はソースセルがＵＥにＳ１ハンドオーバ要求を開始する時、ＭＭＥはＳ１メッセージからＵＥが現在アクセスするセルのＴＡＣを抽出する。次にＴＡＣに基づいてそれと隣接するＴＡＣを見つけ、１つのＴＡＣ集合を構成し、本実施例中において、ＴＡＣ集合は｛ＴＡＣ１、ＴＡＣ２、ＴＡＣ３｝である。
【００４３】
具体的に、ＵＥはアクセスを開始し、またはＴＡＵを行う時、Ｓ１メッセージはＳ１ＡＰ＿ＩｎｉｔｉａｌＵｅＭｓｇであり、ソースセルはＵＥにＳ１ハンドオーバ要求を開始する時、Ｓ１メッセージはＳ１ＡＰ＿ＨａｎｄｏｖｅｒＲｅｑｕｉｒｅｄＭｓｇである。
【００４４】
ステップ５０４：該ＴＡＣ集合のうちの１つ又は複数のＴＡＣをサポートするｅＮＢを調べる、
【００４５】
ステップ５０５：調べたｅＮＢ中において、各ｅＮＢ下でＴＡＣ集合に含まれる各ＴＡＣがサポートするＢｒｏａｄｃａｓｔ  ＰＬＭＮｓ中においてｅＮＢのＰｒｉｍａｒｙ  ＰＬＭＮ（すなわち放送ＰＬＭＮの第１個）のみを選択する。集合：｛ＴＡＣ１  ＰＬＭＮ１、ＴＡＣ２  ＰＬＭＮ２、ＴＡＣ３  ＰＬＭＮ４｝を得ることができる。
ＴＡＣ１  ＰＬＭＮ１、      −−  ｅＮＢ１のＳｕｐｐｏｒｔ  ＴＡｓから取り出す
ＴＡＣ２  ＰＬＭＮ２、      −−  ｅＮＢ２のＳｕｐｐｏｒｔ  ＴＡｓから取り出す
ＴＡＣ３  ＰＬＭＮ４、      −−  ｅＮＢ３のＳｕｐｐｏｒｔ  ＴＡｓから取り出す
【００４６】
ステップ５０６：ステップ５０５に得られたＰＬＭＮ集合中において、ＴＡＣ及びＰＬＭＮに同じ要素を合併し、各ＴＡＣが異なるＰＬＭＮに対応することを保証する。集合：｛ＴＡＣ１  ＰＬＭＮ１、ＴＡＣ２  ＰＬＭＮ２、ＴＡＣ３  ＰＬＭＮ４｝を得ることができる。
【００４７】
ステップ５０７：ＵＥのソースセルでのＳｅｒｖｉｎｇ  ＰＬＭＮに関連する要素を集合中から除去する。集合：｛ＴＡＣ２  ＰＬＭＮ２、ＴＡＣ３  ＰＬＭＮ４｝を得ることができる。
【００４８】
すなわち、ユーザ装置のソースセルのサービスＰＬＭＮ及び相応するＴＡＣを除去する。
【００４９】
ステップ５０８：集合中における各要素のＰＬＭＮを抽出して、同じＰＬＭＮを合併すると、ＥＰＬＭＮリスト｛ＰＬＭＮ２、ＰＬＭＮ４｝を得ることができる。該集合はすなわち選択されたＥＰＬＭＮ  Ｌｉｓｔである。
【００５０】
ステップ５０９：ソースセルは隣接エリア設定情報中において、隣接エリアがサポートするＰＬＭＮ  Ｌｉｓｔ及びＥＰＬＭＮ  Ｌｉｓｔを共通集合演算すると、唯一のＰＬＭＮを得ることができ、該ＰＬＭＮをハンドオーバ先ＰＬＭＮとする。ＥＰＬＭＮ正確性を検証することができる。以下のことを検証することができ、つまり、ＵＥがセルＡから他のいずれか１つの隣接セルにハンドオーバする時、隣接エリアセルがＵＥのソース側でのＳｅｒｖｉｎｇ  ＰＬＭＮをサポートすると、ソースセルはいずれか１つの隣接エリアがサポートするＰＬＭＮ  Ｌｉｓｔ及びＥＰＬＭＮ  Ｌｉｓｔを共通集合し、いずれも唯一に１つのＰＬＭＮを選択してハンドオーバ先ＰＬＭＮとすることができる。
【００５１】
例えば、ＵＥはソースセルＡにおいてアクセスされるのがＰＬＭＮ１であり、セルＢへハンドオーバすると、セルＢはＰＬＭＮ１をサポートするため、  ＰＬＭＮ１に引き続き保持し、
セルＣ、Ｄへハンドオーバすると、｛ＰＬＭＮ２、ＰＬＭＮ３｝と｛ＰＬＭＮ２，ＰＬＭＮ４｝の共通集合はＰＬＭＮ２であり、ハンドオーバのターゲットＰＬＭＮはＰＬＭＮ２であり、
セルＥ、Ｆへハンドオーバすると、｛ＰＬＭＮ４、ＰＬＭＮ５｝と｛ＰＬＭＮ２，ＰＬＭＮ４｝の共通集合はＰＬＭＮ４であり、ハンドオーバのターゲットＰＬＭＮはＰＬＭＮ４である。
実施例２
【００５２】
以下、図面６及び７を参照しながら、ＥＰＬＭＮリストの選択方法及び設定ステップのフローを説明する。
【００５３】
実施例２の応用シーンは図６に示すように、各ｅＮｏｄｅＢ下でのセルは異なるＴＡ中にある。
−ＭＭＥがサポートするＳｅｒｖｉｎｇ  ＰＬＭＮ：ＰＬＭＮ１、ＰＬＭＮ２、ＰＬＭＮ３、ＰＬＭＮ４、及びＰＬＭＮ５
−ｅＮＢ１はＰＬＭＮ：ＰＬＭＮ１、ＰＬＭＮ２、及び  Ｐｒｉｍａｒｙ  ＰＬＭＮ：ＰＬＭＮ１をサポートする
−ｅＮＢ２はＰＬＭＮ：ＰＬＭＮ２、ＰＬＭＮ３、ＰＬＭＮ４、及びＰｒｉｍａｒｙ  ＰＬＭＮ：ＰＬＭＮ２をサポートする
−ｅＮＢ３はＰＬＭＮ：ＰＬＭＮ２、ＰＬＭＮ４、ＰＬＭＮ５、及びＰｒｉｍａｒｙ  ＰＬＭＮ：ＰＬＭＮ２をサポートする
−ｅＮＢ４はＰＬＭＮ：ＰＬＭＮ２、ＰＬＭＮ５、及びＰｒｉｍａｒｙ  ＰＬＭＮ：ＰＬＭＮ２をサポートする
−Ｃｅｌｌ  Ａは放送ＰＬＭＮ  Ｌｉｓｔ：ＰＬＭＮ１、ＰＬＭＮ２を送信する
−Ｃｅｌｌ  Ｂは放送ＰＬＭＮ  Ｌｉｓｔ：ＰＬＭＮ１、ＰＬＭＮ２を送信する
−Ｃｅｌｌ  Ｃは放送ＰＬＭＮ  Ｌｉｓｔ：ＰＬＭＮ２、ＰＬＭＮ３を送信する
−Ｃｅｌｌ  Ｄは放送ＰＬＭＮ  Ｌｉｓｔ：ＰＬＭＮ２、ＰＬＭＮ４を送信する
−Ｃｅｌｌ  Ｅは放送ＰＬＭＮ  Ｌｉｓｔ：ＰＬＭＮ２、ＰＬＭＮ４を送信する
−Ｃｅｌｌ  Ｆは放送ＰＬＭＮ  Ｌｉｓｔ：ＰＬＭＮ２、ＰＬＭＮ５を送信する
−Ｃｅｌｌ  Ｇは放送ＰＬＭＮ  Ｌｉｓｔ：ＰＬＭＮ２、ＰＬＭＮ５を送信する
−Ｃｅｌｌ  Ｈは放送ＰＬＭＮ  Ｌｉｓｔ：ＰＬＭＮ２、ＰＬＭＮ５を送信する
−セルＡ及びＢはＴＡＣ１に属し、セルＣは  ＴＡＣ２に属し、セルＤ及びＥはＴＡＣ３に属し、セルＦ、Ｇ及びＨはＴＡＣ４に属する。
−セルＢ、Ｃ、Ｄ、Ｅ、Ｆ、Ｇ、ＨはいずれもセルＡの隣接セルである。
−ＵＥはセルＡにおいてＰＬＭＮ１でアクセスする。
【００５４】
実施例２のＥＰＬＭＮリスト設定フローチャートは図７に示すように、下記ステップを含む。
【００５５】
ステップ７０１：Ｓ１接続作成が成功した後、ＭＭＥは各ｅＮＢのＳｕｐｐｏｒｔ  ＴＡｓを保存する必要があり、そのうち、ＴＡＣ及び該ＴＡＣ下でセルが送信した放送ＰＬＭＮ  Ｌｉｓｔを含む。
【００５６】
ステップ７０２：ＭＭＥはＳ１接続情報に基づいてＴＡの間の隣接関係をメインテナンスする。
【００５７】
ステップ７０３：ＵＥはアクセスを開始しまたはＴＡＵを行い又はソースセルはＵＥにＳ１ハンドオーバ要求を開始する時、ＭＭＥはＳ１メッセージからＵＥが現在アクセスするセルのＴＡＣを抽出する。次にＴＡＣに基づいてそれと隣接するＴＡＣを見つけ、１つのＴＡＣ集合｛ＴＡＣ１、ＴＡＣ２、ＴＡＣ３、ＴＡＣ４｝を構成する。
【００５８】
ステップ７０４：該ＴＡＣ集合のうちの１つ又は複数のＴＡＣをサポートするｅＮＢを調べる。
【００５９】
ステップ７０５：調べたｅＮＢ中において、各ｅＮＢ下で各ＴＡＣがサポートするＢｒｏａｄｃａｓｔ  ＰＬＭＮｓ中においてｅＮＢのＰｒｉｍａｒｙ  ＰＬＭＮ（すなわち放送ＰＬＭＮの第１個）のみを選択する。集合：｛ＴＡＣ１  ＰＬＭＮ１、ＴＡＣ２  ＰＬＭＮ２、ＴＡＣ３  ＰＬＭＮ２、ＴＡＣ４  ＰＬＭＮ２｝を得ることができる。
ＴＡＣ１  ＰＬＭＮ１、      −−  ｅＮＢ１のＳｕｐｐｏｒｔ  ＴＡｓから取り出す
ＴＡＣ２  ＰＬＭＮ２、      −−  ｅＮＢ２のＳｕｐｐｏｒｔ  ＴＡｓから取り出す
ＴＡＣ３  ＰＬＭＮ２、      −−  ｅＮＢ３のＳｕｐｐｏｒｔ  ＴＡｓから取り出す
ＴＡＣ４  ＰＬＭＮ２、      −−  ｅＮＢ４のＳｕｐｐｏｒｔ  ＴＡｓから取り出す
【００６０】
ステップ７０６：前のステップに得られたＰＬＭＮ集合中において、ＴＡＣ及びＰＬＭＮに同じ要素を合併し、各ＴＡＣが異なるＰＬＭＮに対応することを保証する。集合：｛ＴＡＣ１  ＰＬＭＮ１、ＴＡＣ２  ＰＬＭＮ２、ＴＡＣ３  ＰＬＭＮ２、ＴＡＣ４  ＰＬＭＮ２｝を得ることができる。
【００６１】
ステップ７０７：ＵＥのソースセルでのＳｅｒｖｉｎｇ  ＰＬＭＮに関連する要素を集合中から除去する。集合：｛  ＴＡＣ２  ＰＬＭＮ２、ＴＡＣ３  ＰＬＭＮ２、ＴＡＣ４  ＰＬＭＮ２｝を得ることができる。
【００６２】
ステップ７０８：集合中における各要素のＰＬＭＮを抽出して、同じＰＬＭＮを合併すると、集合｛ＰＬＭＮ２  ｝を得ることができる。該集合はすなわち選択されたＥＰＬＭＮ  Ｌｉｓｔである。
【００６３】
ステップ７０９：ソースセルは隣接エリア設定情報中において、隣接エリアがサポートするＰＬＭＮ  Ｌｉｓｔ及びＥＰＬＭＮ  Ｌｉｓｔを共通集合演算すると、唯一のＰＬＭＮを得ることができ、該ＰＬＭＮをハンドオーバ先ＰＬＭＮとすることができる。ＥＰＬＭＮ正確性を検証することができる。以下のことを検証することができ、つまり、ＵＥがセルＡから他のいずれか１つの隣接セルにハンドオーバする時、隣接エリアセルがＵＥのソース側でのＳｅｒｖｉｎｇ  ＰＬＭＮをサポートすると、ソースセルはいずれか１つの隣接エリアがサポートするＰＬＭＮ  Ｌｉｓｔ及びＥＰＬＭＮ  Ｌｉｓｔを共通集合し、いずれも唯一に１つのＰＬＭＮを選択してハンドオーバ先ＰＬＭＮとすることができる。
【００６４】
本発明の実施例は移動管理エンティティを更に提供しており、図８に示すように、前記移動管理エンティティはリスト生成ユニット及びリスト送信ユニットを備え、そのうち、
前記リスト生成ユニットは、トリガーされた後、ユーザ装置が現在アクセスするセルのトラッキングエリアコードＴＡＣ及びそれと隣接するＴＡＣでＴＡＣ集合を構成し、前記ＴＡＣ集合のうちの少なくとも１つのＴＡＣをサポートする各発展型ノードＢをキャッチし、該発展型ノードＢがサポートする該ＴＡＣ集合中におけるＴＡＣ下でのプライマリー公衆陸上移動網ＰＬＭＮを選択し、各ＴＡＣ及びその対応するプライマリーＰＬＭＮで第二集合を構成し、そのうち、前記第二集合中には同じ要素が存在せず、且つ前記ユーザ装置の現在サービスセルのサービスＰＬＭＮを含まず、及び前記第二集合中における互いに異なるＰＬＭＮを等価公衆陸上移動網ＥＰＬＭＮ  リストに追加するように設置され、
前記リスト送信ユニットは前記ＥＰＬＭＮリストを前記ユーザ装置の発展型ノードＢに送信するように設置される。
【００６５】
そのうち、前記リスト生成ユニットは、前記ユーザ装置はアクセスを開始し、又は、前記ユーザ装置はトラッキングエリア更新を行い、又は、前記ユーザ装置のソースセルは前記ユーザ装置にＳ１ハンドオーバ要求を開始するという方式でトリガーされる。
【００６６】
そのうち、前記リスト生成ユニットは、Ｓ１メッセージから前記ユーザ装置が現在アクセスするセルのＴＡＣをキャッチするように更に設置される。
【００６７】
そのうち、前記移動管理エンティティは、Ｓ１接続作成が成功した後、各発展型ノードＢがサポートするトラッキングエリアを保存し、且つＳ１接続情報に基づいて各トラッキングエリアの間の隣接関係をメインテナンスするように設置される情報メインテナンスユニットをさらに備える。
【００６８】
本発明の実施例は発展型ノードＢを更に提供しており、図９に示すように、前記発展型ノードＢはリスト受信ユニット及びハンドオーバ先選択ユニットを備え、そのうち、
前記リスト受信ユニットは、移動管理エンティティが上記方法を用いて送信したＥＰＬＭＮリストを受信するように設置され、
前記ハンドオーバ先選択ユニットは、前記ユーザ装置の候補ハンドオーバのターゲットセルがサポートするＰＬＭＮリストと前記ＥＰＬＭＮリストとの共通集合で得られたＰＬＭＮをハンドオーバ先ＰＬＭＮとするように設置される。
【００６９】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあらゆる特定形式のハードウェアとソフトウェアの組合せに限らない。
【産業上の利用可能性】
【００７０】
本発明の技術的解決手段によれば、ＭＭＥは好適的なＥＰＬＭＮリストを設定してソースｅＮｏｄｅＢを補助してＵＥに好適なハンドオーバ先ＰＬＭＮを選択することができることを保証することができる。
【図１】
0005838008.tif 000002
【図２】
0005838008.tif 000003
【図３】
0005838008.tif 000004
【図４】
0005838008.tif 000005
【図５】
0005838008.tif 000006
【図６】
0005838008.tif 000007
【図７】
0005838008.tif 000008
【図８】
0005838008.tif 000009
【図９】
0005838008.tif 000010